(57)【要約】【課題】容易かつ迅速にハーネス安全帯を装着可能で、非使用時には整然と保持しておくことができるハーネス安全帯用のハンガーを得る。【解決手段】ハーネス安全帯を装着する際に、作業者Ｗはハンガー１を背中に当てがうようにして、ハンガー１ごとハーネス安全帯を着用する。そして、背中に手を廻してハンガー１のフック４を握って上方に引き上げると、基部３内の錠止部が上昇し、吊掛部５の鉤部と錠止部との錠止が解除される。これにより、両側の吊掛部５は支軸を中心にして下方に回動し、ハンガー１を上方に引き抜くことができ、作業者Ｗへのハーネス安全帯の装着が完了する。作業が終了し、ハーネス安全帯の使用が終われば、ハーネス安全帯を身体から取り外し、ハンガー１に吊しておけば、使用時には迷わずにハンガー１ごと着用することができる。【選択図】　　　　図５
2004041471.tif 000002
【特許請求の範囲】
【請求項１】
左右対称形の吊掛部を基部の両側に配置すると共に該基部の下部を中心に回動自在に取り付け前記吊掛部上部の前記基部に接する部分に前記基部に対し回動不能に錠止する錠止機構を設け、前記基部の上部に操作部を設け、該操作部の操作により前記錠止機構を解除して前記吊掛部が回動するようにし、前記吊掛部が回動しない状態においてハーネス安全帯の２本の肩掛けベルトを前記吊掛部の上辺にそれぞれ係止するようにしたことを特徴とするハーネス安全帯用のハンガー。
【請求項２】
前記操作部は吊り下げのためのフックとした請求項１に記載のハーネス安全帯用のハンガー。
【請求項３】
前記操作部を前記基部に対し引き上げることにより、前記錠止機構が解除されるようにした請求項１に記載のハーネス安全帯用のハンガー。
【請求項４】
前記吊掛部の上辺に係止片を設け、前記肩掛けベルトを係止するようにした請求項１に記載のハーネス安全帯用のハンガー。
【発明の詳細な説明】
【０００１】
【発明の属する技術分野】
本発明は、高所で作業する作業者が装着するハーネス安全帯用のハンガーに関するものである。
【０００２】
【従来の技術】
労働安全衛生規制で規制されているように、落下の虞れのある高所又はそれに類する場所で作業する作業者は、ハーネス安全帯を身体に装着すると共に、その一部をロープを介して周囲の固定体に連結することが義務付けられ、落下しても作業者は安全に宙吊りとなることが可能なようにされている。
【０００３】
【発明が解決しようとする課題】
しかしながら、ハーネス安全帯は複数本のベルトが縫い合わされ、複雑な形状をしている。そして、通常では作業後に脱着されたハーネス安全帯は、適当に丸めてロッカーや棚等に収納されることが多い。
【０００４】
そのため、緊急時の装着に手間取ったり、表裏を誤ったり、捻れを生じたりする虞れがあり、ハーネス安全帯を素早くかつ正確に装着することは、熟練者でなければなかなか困難である。
【０００５】
また、丸めてロッカー等に収納すると、ベルトに吸収された汗等が乾燥し難く、悪臭を放ったりするため衛生的にも好ましくない。
【０００６】
本発明の目的は、上述の問題点を解消し、容易かつ迅速にハーネス安全帯を装着を助長し、非使用時には整然と保持しておくことができるハーネス安全帯用のハンガーを提供することにある。
【０００７】
【課題を解決するための手段】
上記目的を達成するための本発明に係るハーネス安全帯用のハンガーは、左右対称形の吊掛部を基部の両側に配置すると共に該基部の下部を中心に回動自在に取り付け前記吊掛部上部の前記基部に接する部分に前記基部に対し回動不能に錠止する錠止機構を設け、前記基部の上部に操作部を設け、該操作部の操作により前記錠止機構を解除して前記吊掛部が回動するようにし、前記吊掛部が回動しない状態においてハーネス安全帯の２本の肩掛けベルトを前記吊掛部の上辺にそれぞれ係止するようにしたことを特徴とする。
【０００８】
【発明の実施の形態】
本発明を図示の実施例に基づいて詳細に説明する。
図１はハンガーにハーネス安全帯を掛けた状態の正面図であり、合成樹脂製のハンガー１にはハーネス安全帯２が肩掛けベルト２ａを引っ掛けた状態で、ロッカー等に他の作業服等と並べて吊るされている。
【０００９】
図２はハンガー１の斜視図、図３は要部断面図であり、上下方向の角柱状の基部３の上部にフック４が連結され、基部３の両側に略三角ひれ状の吊掛部５が左右対称に配置されている。吊掛部５は基部３の下部において支軸６を中心に回動可能とされ、更に吊掛部５の基部３に接する上部に設けられた鉤部７が、基部３の孔部３ａを通って基部３内の凹状の錠止部８に錠止されている。
【００１０】
基部３内には、屈曲部９を有し常時下方に付勢されている合成樹脂製の可動部１０が内蔵されており、この可動部１０の上部にフック４が連結されている。また、錠止部８はこの可動部１０の上部に形成され、可動部１０が通常の位置ある状態において、鉤部７が錠止されている。
【００１１】
吊掛部５の上辺の肩部は、先端に進むにつれ下方に傾斜する傾斜部５ａとされ、先端において山形部５ｂが曲成されている。更に、傾斜部５ａ上にはベルト係止片５ｃが設けられ、吊掛部５の先端側の出入口からベルト係止片５ｃ内に肩掛けベルト２ａを出し入れできるようになっている。
【００１２】
このハンガー１は通常では、図２、図３に示すような状態とされているが、基部３に対しフック４を強く上方に引き上げると、基部３内の可動部１０の屈曲部９が延伸されて錠止部８は上方に移動し、吊掛部５の鉤部７が錠止部８から外れ、吊掛部５は支軸６を中心に回動して、図４に示すような垂れ下った状態となる。
【００１３】
非使用時には、ハーネス安全帯２は図１に示すように肩掛けベルト２ａを吊掛部５のベルト係止片５ｃに引っ掛けた状態で、ハンガー１により吊り下げられているが、山形部５ｂがあるためにベルト吊掛部２ａがずり落ちることはない。また、ハーネス安全帯２の重さでは基部３内の可動部１０が動いて、不時に鉤部７が錠止部８から外れて吊掛部５が回動することもない。
【００１４】
ハーネス安全帯２を装着する際には、図５に示すように作業者Ｗはハンガー１を背中に当てがうようにして、ハンガー１ごとハーネス安全帯２を着用する。そして、最後に図６に示すように背中に手を廻してハンガー１のフック４を握って上方に引き上げると、基部３内の錠止部８が上昇し、鉤部７との錠止が解除される。これにより、両側の吊掛部５は支軸６を中心にして下方に回動し、ベルト係止片５ｃの出入口がハンガー１の引き抜き方向と平行となり、肩掛けベルト２ａがベルト係止片５ｃから抜け出すので、ハンガー１を上方に引き抜くことができ、作業者Ｗへのハーネス安全帯２の装着が完了する。
【００１５】
作業が終了し、ハーネス安全帯２の使用が終われば、ハーネス安全帯２を身体から取り外し、図１に示すようにハンガー１に吊しておけば、使用時には迷わずにハンガー１ごと着用することができる。
【００１６】
なお、使用後のハーネス安全帯２をハンガー１に吊す際には、係止すべき部分、例えば肩掛けベルト２ａにマークを付しておくなどすれば、ハンガー１に正しく係止することができる。
【００１７】
【発明の効果】
以上説明したように本発明に係るハーネス安全帯用のハンガーを用いることにより、作業者はハーネス安全帯を容易かつ迅速に装着することができる。
【図面の簡単な説明】
【図１】ハンガーにハーネス安全帯を吊した状態の正面図である。
【図２】ハンガーの斜視図である。
【図３】ハンガーの要部断面図である。
【図４】吊掛部を回動させた状態の斜視図である。
【図５】ハーネス安全帯をハンガーごと着用した状態の説明図である。
【図６】ハーネス安全帯からハンガーを引き抜く状態の説明図である。
【符号の説明】
１　ハンガー
２　ハーネス安全帯
２ａ　肩掛けベルト
３　基部
４　フック
５　吊掛部
６　支軸
７　鉤部
８　錠止部
１０　可動部
【図１】
2004041471.tif 000003
【図２】
2004041471.tif 000004
【図３】
2004041471.tif 000005
【図４】
2004041471.tif 000006
【図５】
2004041471.tif 000007
【図６】
2004041471.tif 000008